(57)【特許請求の範囲】
【請求項１】
屋内の空間部に吊り張りするネットと、該ネットの上部両端側にそれぞれ連結すべく滑車を介して設けられた移動用ロープと、該移動用ロープを引き出し移動及び巻き取り移動すべく空間部の対向する位置に設けられたウインチから構成された屋内の空間部へのネットの移動装置において、前記ネットの上部側には、移動用ロープを連結すべく、該ネットの上端側を筒状に形成して挿通された吊り張り用ロープが設けられ、且つ該吊り張り用ロープの両端には移動用ロープの巻き取り移動を阻止するストッパーが設けられた、また前記吊り張り用ロープには空間部の側面とネットの側端面との距離を調整しネットの吊り張り位置を決定する調整体が設けられていることを特徴とする屋内の空間部へのネットの移動装置。
【請求項２】
屋内の空間部に吊り張りするネットの上部両端側にそれぞれ連結した移動用ロープを空間部の対向する位置に設けられたウインチで滑車を介して巻き取りネットの上端側を空間部上方に移動しながらネットを空間部に沿って吊り張りする屋内の空間部へのネットの吊り張り移動方法において、前記ネットの上端側を筒状に形成して吊り張り用ロープを挿通し、該吊り張り用ロープにウインチを駆動して移動用ロープを連結した後、空間部の側面とネットの側端面との距離を前記吊り張り用ロープに設けられた調整体で調整しネットの吊り張り位置を決定するとともに、前記吊り張り用ロープの両端に設けられたストッパーで移動用ロープの巻き取り移動を阻止することを特徴とする空間部へのネットの吊り張り移動方法。
【発明の詳細な説明】
【技術分野】
【０００１】本発明は、屋内の空間部に防球用、又は間仕切り用として使用するネットの移動装置、屋内の空間部へのネットの吊り張り移動方法に関する。
【技術の背景】
【０００２】従来、屋内の空間部としての球技用等の練習施設、又は屋内の球技場においては、該空間部の上下方向、及び空間部の外周に沿って防球用のネットを吊り張り又は使用目的に応じて空間部を間仕切りすべく間仕切り用のネットが吊り張りされている。
【０００３】上記防球用等のネットの移動装置は、空間部の対向する側面に取り付けられたウインチと、該ウインチより滑車を介して引き出し移動及び巻き取り移動する移動用ロープと、該移動用ロープの先端と連結具を介して連結されたネットから構成されている。
【０００４】上記装置を用いて空間部にネットを吊り張りする場合は、ウインチより滑車を介して移動用ロープを空間部の下方側に引き出し移動し、ネットの上部両端側にそれぞれ連結具を介して連結した後、前記ウインチで滑車を介して移動用ロープを所望量巻き取り移動することで、ネットの上端側を空間部の上方に引っ張り移動してネットを空間部に吊り張りする。
【０００５】また、上記吊り張りしたネットを収納する場合及びメンテナンスをする場合は、再度ウインチより滑車を介して移動用ロープを引き出し移動してネットを空間部の下方側に移動した後、該ネットの上部両端側よりそれぞれ移動用ロープを取り外し、ネットを収納又はネットのメンテナンスをした後、ウインチで滑車を介して移動用ロープのみを巻き取り移動することで移動用ロープを滑車とウインチ間に収納する。
【発明が解決しようとする課題】
【０００６】しかしながら、上記ネットの空間部への吊り張りにはウインチによる両側の移動用ロープの吊り張り調整が煩雑で、引っ張りが強いと移動用ロープが破損し、引っ張りが弱いとネットを適切に吊り張りできなく、前記移動用ロープの両側の引っ張りの微調整は職人の感、経験に頼らなければならない欠点があった。
【０００７】また、ネットの移動用ロープによる引っ張り時のウインチの調整は通常制御装置を用いて行っているが、ネットの荷重による移動用ロープの延びや、移動用ロープのウインチへの巻き取り時の捩れ、乱巻き等が発生するために制御装置の移動用ロープの巻き取り時間の設定を頻繁に変更しなければならない。
【０００８】さらに、ウインチの設置位置とネットの側端の間の距離は両側が相違するために、両ウインチによる移動用ロープの巻き取り量も相違し、ウインチの駆動も調整が煩雑である。
【０００９】また、ネットを収納した後の移動用ロープの巻き取り移動は、移動用ロープの先端側に連結具が取り付けられ、滑車より引き出された状態でウインチに巻き取られているために安全性の面で問題があった。
【００１０】そこで、本発明は上記問題点を解消し、適切にネットを吊り張りでき、また、収納時の移動用ロープの収納が容易である屋内の空間部へのネットの移動装置、屋内の空間部へのネットの吊り張り移動方法を提供することを課題とする。
【課題を解決するための手段】
【００１１】上記課題を解決する手段としての装置は、請求項１に記載のように、屋内の空間部に吊り張りするネットと、該ネットの上部両端側にそれぞれ連結すべく滑車を介して設けられた移動用ロープと、該移動用ロープを引き出し移動及び取り巻き移動すべく空間部の対向する位置に設けられたウインチから構成された屋内の空間部へのネットの移動装置において、前記ネットの上端側には、前記移動用ロープを連結すべく、該ネットの上端側を筒状に形成して挿通された吊り張り用ロープが設けられ、且つ該吊り張り用ロープの両端には移動用ロープの巻き取り移動を阻止するストッパーが設けられ、また前記吊り張り用ロープには空間部の側面とネットの側端面との距離を調整しネットの吊り張り位置を決定する調整体が設けられていることを特徴とする。
【００１２】また、上記課題を解決する手段として吊り張り移動方法は、請求項２に記載のように、屋内の空間部に吊り張りするネットの上部両端側にそれぞれ連結した移動用ロープを空間部の対向する位置に設けられたウインチで滑車を介して所望量巻き取りネットの上端側を空間部の上方に移動しながらネットを空間部に吊り張りする屋内の空間部へのネットの吊り張り移動方法において、前記ネットの上端側を筒状に形成して吊り張り用ロープを挿通し、該吊り張り用ロープに移動用ロープを連結した後、該吊り張り用ロープに空間部の側面とネットの側端面との距離を前記吊り張り用ロープに設けられた調整体で調整しネットの吊り張り位置を決定するとともに、前記吊り張り用ロープの両端に設けられたストッパーで移動用ロープの巻き取り移動を阻止することを特徴とする。
【発明の作用効果】
【００１３】次に、本発明の屋内の空間部へのネットの移動装置、屋内の空間部へのネットの吊り張り方法、及び収納移動方法についてその作用を説明する。
【００１４】先ず、請求項１の屋内の空間部へのネットの移動装置は、屋内の空間部の対向する位置にそれぞれ設けられた一対のウインチと、該ウインチを駆動しウインチの近傍に設けられた滑車を介して所望量引き出し又は巻き取り移動する移動用ロープと、該移動用ロープに連結具を介して連結すべくネットの上端側を筒状に形成して挿通した吊り張り用ロープの設けられたネットから構成され、しかも、前記吊り張り用ロープの両端にはストッパーが設けられ、且つ前記吊り張り用ロープにはネットの側端面と空間部の側面との距離を調整する調整体が設けられているために、空間部の対向する側面に設けられた滑車間に対応した長さに吊り張り用ロープの長さ決定し、また、空間部のネットの吊り張り位置に応じて調整体でネットの取り付け位置を決定する。
【００１５】次に、ウインチで滑車にストッパーが当接するまで移動用ロープを巻き取ることで、吊り張り用ロープを空間部に直線状に架け渡し、該吊り張り用ロープに沿ってネットを適切な位置に吊り張りすることができる。
【００１６】このように、本発明の屋内の空間部へのネットの移動装置は、別体の吊り張り用ロープを用いてネットを吊り張りするとともに、該吊り張り用ロープに設けられた調整体でネットの吊り張り位置を容易に決定することができ、また、吊り張り用ロープの両端側のストッパーでウインチによる移動用ロープの巻き取り量が決定でき、スムーズな吊り張りを行うことができる。
【００１７】次に、請求項２に記載の空間部へのネットの吊り張り移動方法は、先ず、ネットの上端側を筒状に形成して挿通することで吊り張り用ロープを決定した後、空間部の両端側に設けた一対のウインチを駆動し、滑車を介してそれぞれ移動用ロープを空間部の床面に引き出し移動し、吊り張り用ロープの両端側に連結具を介して連結する。
【００１８】その後、ウインチを駆動し滑車を介してそれぞれ移動用ロープを巻き取り移動しネットの上部を空間部の上方に移動するとともに吊り張り用ロープの両端側をさらに引っ張るように巻き取り移動することで、ネットを空間部沿って吊り張りする。
【００１９】この際、吊り張り用ロープが滑車間の長さに応じて形成され、且つネットの上部両端と空間部との距離が調整されているために、吊り張り用ロープのそれぞれの端部のストッパーが滑車に当接するまで移動用ロープをウインチで巻き取ることで、容易に吊り張り用ロープを直線状に空間部に架け渡し、該吊り張り用ロープに沿ってネットを吊り張りできる。
【００２０】このため、ウインチ間の微調整等の特異な技能、経験に頼らなくても適切にネットを空間部に吊り張りすることができる。
【００２１】また、吊り張り用ロープが移動用ロープと別体であるために、ネットの取り付け及ぶ取り外しが容易であり、ネットの取り付け及び収納時の作業効率を格段に向上することができる。
【００２２】また、ウインチでの移動用ロープの巻き取り量が少ないので、ウインチでの乱巻きや、捩れの発生が少なく、ネットの上部両端側の移動用ロープの引っ張り距離の調整がスムーズに行える。
【００２３】さらに、ウインチの取り付け位置を移動することで、ネットを吊り張りする際の微調整ができ、また移動用ロープ収納時の微調整を容易に行うことができる。
【００２４】このように、本発明は簡易な方法でネットの吊り張り、及び収納を行うことができる。
【発明を実施するための形態】
【００２５】本発明の屋内の空間部へのネットの移動装置、屋内の空間部へのネットの吊り張り方法、及び収納移動方法についての一実施例について図面を用いて説明する。
【００２６】図１は本発明の屋内の空間部へのネットの移動装置を示す概略説明正面図であり、図２は本発明の屋内の空間部へのネットの吊り張り状態を示す概略説明正面図であり、図３は屋内の空間部へのネットの収納状態を示す概略説明正面図であり、図４はウインチの取り付け位置の調整を示す概略説明側面図であり、図５は滑車の取り付け位置の調整を示す概略説明側面図であり、図６は屋内の空間部へのネットの吊り張り方法を示すフローチャートであり、図７は屋内の空間部へのネットの収納移動方法を示すフローチャートである。
【００２７】本発明の屋内の空間部へのネットの移動装置１の第１実施例について説明する。
【００２８】上記屋内の空間部へのネットの移動装置１は、空間部Ｋの対向する側面に取り付けるウインチ２（ウインチ２の種類は特に問うものでなく、巻き取り用ドラムにロープを巻き取る巻き取り方式のウインチ、又はエンドレス状に移動するエンドレス方式のウインチと巻き取りリールを用いる）と、該ウインチ２の近接する上部側の位置に取り付けられた滑車３と、前記ウインチ２の駆動で滑車３を介して引き出し移動又は巻き取り移動する移動用ロープ４（本発明においてロープとは、ワイヤロープ、樹脂用ロープ等の総称である。）と、移動用ロープ４の先端側に取り付けた連結具（図示せず）と、該連結具と連結すべく両端側に連結用のストッパー６が取り付けられ、滑車３間の長さに形成された吊り張り用ロープ１０と、該吊り張り用ロープ１０に上端側を取り付けたネット７から構成されている。
【００２９】前記吊り張り用ロープ１０は、ネット７の上端側を筒状に形成した挿通部８に挿通することでネット７に設けられ、また、空間部Ｋのウインチ２の設置された側面１１Ａ、１１Ｂとネット７の側端面７Ａ、７Ｂとの距離Ｌ１、Ｌ２に応じた位置でネット７の上部両端を固定する調整体５が設けられている。
【００３０】しかも、吊り張り用ロープ１０をネット７の上部側に取り付けることでネット７の補強用としての機能も付与することができる。
【００３１】前記連結ストッパー６は、リング状の阻止片で構成され、移動用ロープ４をウインチ２で巻き取ることで、該連結ストッパー６体が滑車３に当接して移動用ロープ４の巻き取りを停止する、又はストッパー６としてリミッタを用いることでウインチ２の駆動停止する構成でも可能である。
【００３２】前記ウインチ２には取り付け位置を移動しロープ４の長さを調整する調整手段が設けられている。
【００３３】前記調整手段は、側壁に取り付けられたウインチ２の固定枠１２と、該固定枠１２に沿って取り付けられたレール又は溝（図示せず）から構成され、ウインチ２はレール又は溝に沿って移動可能であり、また、移動した位置で移動が阻止される構成である。
【００３４】このため、ネット７吊り張りの際は、吊り張り用ロープ１０及びネット７の荷重によりウインチ２が引っ張られレール又は溝に沿って上方に移動し、滑車３とウインチ２の距離を狭めて移動用ロープ４を巻き取り移動し、また、移動用ロープ４より吊り張り用ロープ１０及びネット７を取り外し収納した後、移動用ロープ４をウインチ２で巻き取る際は、ウインチ２で移動用ロープ４を滑車３の位置まで巻き取り移動するとともにウインチ２の自重によりレール又は溝に沿って下方に移動して巻き取る移動用ロープ４の長さを微調整する。
【００３５】このため、巻き取った移動用ロープ４の先端側が滑車３より垂れ下がることなく、安全に使用できる。
【００３６】例えば、対向する側面に設けられた一対のウインチ２のそれぞれの移動用ロープ４の長さを調整する際、ウインチ２を同期した駆動のみでは、ウインチ２のドラムに巻き取られた移動用ロープ４は乱巻き等のためにそれぞれの移動用ロープ４の長さが一定ではなく移動用ロープ４の長さ調整が不十分であるが、ネット７は吊り張り用ロープ１０に取り付けられているために、上記連結ストッパー６が滑車３に当接することでロープ４の長さ調整することなく吊り張り用ロープ１０を直線状に空間部に架け渡して、ネット７を吊り張りすることができる。
【００３７】しかも、ウインチ２がレール又は溝に沿って滑車３側に移動し滑車３との距離が狭められウインチ２による移動用ロープ４の巻き取りが乱巻き等なくスムーズに巻き取りできる。
【００３８】また、移動用ロープ４を引き出し移動する際も、吊り張り用ロープ１０及びネット７の荷重により、ウインチ２が滑車３側に移動した状態でスムーズに引き出し移動することができる。
【００３９】本発明の屋内の空間部へのネットの移動装置１は上記のように構成され次に、該移動装置１を用いて屋内の空間部Ｋにネット７を吊り張り移動する場合、及びネット７を収納移動する場合について説明する。
【００４０】ネット７を空間部Ｋに吊り張り移動する場合は、先ず、空間部Ｋの対向する両端側にウインチ２を取り付ける固定枠１２を固定し、その上部側近傍に滑車３を取り付ける。
【００４１】その後、両ウインチ２を同期して駆動し移動用ロープ４をそれぞれ空間部Ｋの床面側に滑車３を介して引き出し移動し、ネット７の上部側に設けられた吊り張り用ロープ１０の両端部に取り付けられた連結用のストッパー６に移動用ロープ４の先端に取り付けられた連結具を介して連結する。
【００４２】この際、ウインチ２の取り付けられた一方の空間部Ｋの側面１１Ａとネット７の一方の側端面７Ａとの距離Ｌ１、及び他方の空間部Ｋの側面１１Ｂとネット７の他方の側端面７Ｂとの距離Ｌ２に応じて吊り張り用ロープ１０におけるネット７の取り付け位置は調整体５を用いて調整する。
【００４３】これにより、空間部Ｋの形状に応じて常に適切な位置にネット７を吊り張りできる。
【００４４】次に、両ウインチ２を同期して駆動し移動用ロープ４を巻き取り移動するとともに、ウインチ２を固定枠１２に沿って滑車３側に移動して滑車３との距離を縮めることで、乱巻き等なく移動用ロープ４を巻き取ることができる。
【００４５】これにより、吊り張り用ロープ１０を空間部Ｋの上方側に移動し、ネット７の上部側を空間部Ｋの上方に移動する。
【００４６】その後、吊り張り用ロープ１０を直線状に空間部に架け渡すべくさらに移動用ロープ４を引っ張り移動し、連結用のストッパー６が滑車３に当接して停止、又はリミッタによりウインチ２の駆動を停止する。
【００４７】これにより、容易にネット７の上端側を空間部に吊り張りすることができる。
【００４８】しかも、吊り張り用ロープ１０はネット７の両側端面７Ａ、７Ｂと両側壁１１Ａ、１１Ｂとの距離Ｌ１、Ｌ２を予め吊り張り用ロープ１０へのネット７の取り付け位置で調整しているために、該吊り張り用ロープ１０を空間部Ｋに直線状に吊り張りするだけで空間部Ｋに応じた最適なネット７の吊り張りを可能とする。
【００４９】しかも、ウインチ２を固定枠１２のレール又は溝に沿って滑車３側に移動して吊り張りするために、ウインチ２の駆動を移動用ロープ４に確実に伝動し、移動用ロープ４の乱巻き等なくスムーズに巻き取り移動を同期して移動できる。
【００５０】次に、ネット７を空間部Ｋに収納移動する場合は、先ず、上記ウインチ２の移動位置で、両ウインチ２を同期して駆動し滑車３を介して移動用ロープ４をそれぞれ引き出し移動し、吊り張り用ロープ１０を下降側に移動し、ネット７の上部側を空間部Ｋの床面側に下降する。
【００５１】そして、移動用ロープ４の先端側の連結具を吊り張り用ロープ１０の連結用のストッパー６より離反することで、ネット７を取り外し収納する。
【００５２】その後、両ウインチ２を同期して駆動して移動用ロープ４を巻き取り移動することで移動用ロープ４を滑車３とウインチ２間に収納する。
【００５３】この際、ウインチ２の同期した駆動による移動用ロープ４には、ネット７の荷重等がかからないために、移動用ロープ４の巻き取り量は一定しない場合があり、一方の移動用ロープ４の先端の連結具５が滑車３より大きく垂れ下がり、側壁に当ったりして危険な状態となるが、ウインチ２が自重により固定枠１２のレール又は溝に沿って滑車３より離反する方向に移動するために、連結具５を滑車３に近接した位置に収納することができる。
【００５４】このように、本発明は屋内の空間部へのネットの移動装置１は、滑車３間の長さを有する吊り張り用ロープ１０にネット７が設けられ、且つ連結用のストッパー６が設けられているために、ウインチ２による移動用ロープ４の巻き取りが容易であるために、両ウインチ２を同期して移動し連結用のストッパー６が当接、又はリミッタによるウインチ２の駆動の停止により、容易にネット７の吊り張り移動、及びネット７の収納移動を行うことができる。
【００５５】また、その構成が容易であり、スムーズに移動用ロープ４の長さを調整することができる。
【００５６】尚、上記実施例では吊り張り用ロープ１０の両端側を移動用ロープ４で引っ張りネット７を吊り張りしたが、本発明の屋内の空間部へのネットの移動装置１はこれに限定されるものでなく、吊り張り用ロープ１０の中央部分を上方より別の中央用ロープで吊り張りすることで、ネット７の大きさに関わらず空間部Ｋに適切に吊り張りすることができる。
【００５７】また、上記実施例ではウインチ２を移動することで、移動用ロープ４の収納移動を補佐したが、本発明においてはウインチ２の移動に限定されるものでなく滑車３を移動することで移動用ロープ４の収納移動を補佐することも可能である。
【図面の簡単な説明】
【００５８】
【図１】本発明の屋内の空間部へのネットの移動装置を示す概略説明正面図
【図２】本発明の屋内の空間部へのネットの吊り張り移動を示す概略説明正面図
【図３】本発明の屋内の空間部へのネットの収納移動を示す概略説明正面図
【図４】ウインチの取り付け位置の調整を示す概略説明側面図
【図５】滑車の取り付け位置の調整を示す概略説明側面図
【図６】本発明の屋内の空間部へのネットの吊り張り移動を示すフローチャート
【図７】本発明の屋内の空間部へのネットの収納移動を示すフローチャート
【符号の説明】
【００５９】１−ネットの移動装置、２−ウインチ、３−滑車、４−ロープ、７−ネット
【図１】
0005828427.tif 000002
【図２】
0005828427.tif 000003
【図３】
0005828427.tif 000004
【図４】
0005828427.tif 000005
【図５】
0005828427.tif 000006
【図６】
0005828427.tif 000007
【図７】
0005828427.tif 000008